Podtech/llm-jp-corpus-v4-ja_patent huggingface dataset:
(57)【要約】      （修正有）【課題】レーザーポインターを手で持たず機械で自動指示できる装置を提供する。【解決手段】パソコンに接続したマイコンより、２軸サーボモータを制御し、サーボモータ軸に接続した、レーザーを動かす。レーザー光が、壁、もしくはスクリーンに映り、手で、持たなくとも自動指示ができる。この結果、手ぶれによる、指示位置の見難さ、また、手を、スクリーンから大きく外してしまった場合、お客様の目にレーザー光が当たり、不快感を与える恐れがなくなりました。【選択図】図１
2011128578.tif 000002
【特許請求の範囲】
【請求項１】
従来、手に持ってレーザーポインターでスクリーンの位置を指示していたが、２軸のサーボモータ制御で、位置を機械指示する装置。
【発明の詳細な説明】
【発明の詳細な説明】
この発明は、パソコンに接続した自動レーザーポインター装置を、パソコンからのマウス位置、制御データにより、自動レーザーポインター装置内部の、マイコンを経由し、２軸、すなわちＸＹ軸のサーボモータを動かすと同時に、レーザーポインターのパワー制御を行い、表示を行う装置です。また、サーボモータの可動部分があるので、安全を考慮し、レーザーを通すアクリルケース内に収めます。
従来、プレゼンテーションをビデオプロジェクターで行う場合、レーザーポインターを手で持って説明箇所を指示する方法が一般的でした。この場合、手ぶれによる、指示位置の見難さ、また、手を、スクリーンから大きく外してしまった場合、お客様の目にレーザー光が当たり、不快感を与える恐れがありました。今回の発明により、こういった事を、大幅に改善できます。さらに、近年のロボット技術の進歩は、目覚ましく、それに伴い、制御装置の小型、低価格化が進み、今回の発明装置の製作においても、小型、低価格化が可能となり、プレゼンテーション以外の新分野に使用できる可能性があります。例えば教育現場で、ビデオプロジェクターを使うような場合の利用が見込まれます。さらに、プラネタリュームの星の指示、パワー制御をＸＹ軸の動きに合わせて行うことで、流星をシミュレーションすることも可能です。また流星データをマイコン内部に記憶させておけば、自動レーザーポインター装置に電源供給をするだけで、パソコンを介さず表示が可能で、家電的な使用方法もできます。
近年、ロボット製品がどんどん家庭に入っていく時代となりました。ロボットの新しい使い方として今回の発明品が役立つよう期待します。
【図面の簡単な説明】
【図１】  自動レーザーポインターの斜視図
【図２】  自動レーザーポインターの機能図
【符号の説明】  （１）はＸ軸サーボモータ  （２）はＹ軸サーボモータ  （３）はレーザー
（４）はマイコン  （５）は透明アクリルケース  （６）はパソコン
【図１】
2011128578.tif 000003
【図２】
2011128578.tif 000004
(57)【要約】      （修正有）【課題】塵や埃が存在する普通の環境下でカメラの撮像素子を汚さずにレンズ交換できる無塵レンズ交換装置を提供する。【解決手段】この装置にはカメラ本体および交換レンズを挿入した後、内部の空間を清浄化する装置、すなわち空気吸入口にはフィルター２が装着され、また内部の空気を外部に吐き出す送風機３が装備され、一定時間送風機を稼動させると内部の空間が清浄化される機能がある。内部の空間が清浄化された後、カメラ本体に装着されているレンズを外し交換したい他のレンズをカメラ本体に装着することで、カメラ本体にある撮像素子に塵や埃を付着させることが無くレンズ交換作業を行うことができる。【選択図】図１
2011128581.tif 000002
【特許請求の範囲】
【請求項１】
レンズ交換が可能なカメラを入れることができる筐体とその筐体の内部空間の塵や埃を外部に排出する手段を有し、その筐体に気密状態でレンズ交換作業を行うため、手を挿入できる柔軟性がある、袋状の装置を有するカメラのレンズ交換装置。
【請求項２】
請求項１において筐体内部の空気を清浄化する手段として空気吸入口に塵や埃を阻止する機能を有するフィルターを装備と筐体から空気を排出するファンを有する、カメラのレンズ交換装置。
【発明の詳細な説明】
【技術分野】
【０００１】  デジタル１眼レフカメラはレンズ交換ができるのが特徴であるが、レンズ交換の時、撮像素子に塵や埃が付着する危険があるが、この発明はレンズ交換の時、携帯できるクリーンな環境を提供するものである。
【背景技術】
【０００２】  １眼レフカメラはレンズ交換できるのが特徴であるが、レンズ交換時カメラの内部に塵や埃が侵入する欠点がある。特に最近主流となったデジタル１眼レフカメラの場合ＣＣＤやＣＭＯＳ撮像素子に塵や埃が付着し、撮影した画像にノイズが入ることが問題視されている。この問題点をカメラ側で対策する技術は各種提案されているが、根本対策にはならず、撮像素子が汚れた場合、専門化による撮像素子のクリーニング作業が必要であった。
【先行技術文献】
【特許文献】
【０００３】
【特許文献１】  公開特許公報  特開２００６−３１３２５３  レンズ内臓ダブルレンズ１眼レフカメラでは１眼レフカメラの開口部に１組のレンズを挿入しその前に（被写体側）に交換レンズを挿入することにより、カメラ内部に塵や埃が入らない構造としたが、この場合使える交換レンズに大きな制約が生じる課題がある。
【特許文献２】  公開特許公報  特開２００５−２４９０５  デジタルカメラの清掃装置およびカメラシステムでは汚れてしまった撮像素子のクリーニング装置の提案である。
【特許文献３】  公開特許公報  特開２００３−３４３８８８  精密機器組み立て作業用クリーンボックスでは作業できるクリーンな環境を提供しているがこの構造でレンズ交換作業を行うことは、はなはだ困難である。
【非特許文献】
【０００４】
【非特許文献１】  現在販売されている１眼レフカメラには手ぶれ補正のために装着されている撮像素子駆動装置を使い、撮像素子を振動させることにより、付着した塵や埃を除去するものが販売されている。（ＳＯＮＹ製１眼レフカメラカタログ添付）
【非特許文献２】
【発明の概要】
【発明が解決しようとする課題】
【０００５】１眼レフカメラはレンズ交換ができるところに価値があるが、そのときに撮像素子が汚れてしまう危険が伴う。そこで塵や埃の多い環境でも撮像素子やカメラ内部を汚さないでレンズを交換できる手段を提供する。
【課題を解決するための手段】
【０００６】レンズを装着したカメラ本体またはレンズ装着部に蓋をしたカメラ本体と交換したいレンズを本装置に挿入した後、内部の空気を清浄化する機能を作動させ、塵や埃が少なくなった後、この装置に付属した手袋を介して外部から手でレンズ交換作業を行うことで、カメラ内部全体や撮像素子に塵や埃を付着させずにレンズ交換作業を行うことができる装置を提供する。
【発明の効果】
【０００７】この装置に付属する空気清浄化機能により、塵や埃の非常に少ない環境でレンズ交換作業を行うことにより、カメラ内部や撮像素子に汚れが着くことを防止し、撮影した画像にノイズが混入することを防ぐことができる。また撮像素子の汚れの付着を未然に防止することができるので、撮像素子のクリーニング作業を専門家に依頼する必要が無くなる。
【図面の簡単な説明】
【０００８】
【図１】本無塵レンズ交換装置の正面図（一部透過図）
【図２】本無塵レンズ交換装置の右側面図−１
【図３】本無塵レンズ交換装置の左側面図−２
【発明を実施するための形態】
【０００９】本無塵レンズ交換装置には透明な蓋４がある、その蓋を開けレンズ交換したいカメラを入れる。その後交換したいレンズも同様に装置内部に入れる。そして送風機３の電源を入れるとこの装置内部の気圧が低下し、フルターを装着した空気吸入口２から清浄な空気がこの装置の内部を満たす。そのタイミングで本装置の両端から手操作用グローブ５，６を通して手でレンズ交換作業を行う。レンズ交換作業終了後は透明な蓋４を開き交換作業の終了したカメラを取り出す。
【実施例】
【００１０】
【産業上の利用可能性】
【００１１】１眼レフカメラはアマチュアカメラマンだけでなく新聞社等報道機関でも多く使われているが、取材記者やカメラマンが取材現場でレンズ交換作業を行うとき撮像素子の汚れによる画像劣化のリスクを気にせずに、レンズ交換作業ができ大変便利である。
【符号の説明】１．本無塵レンズ交換装置の筐体である。
２．本装置の空気取り入れ口兼埃フィルターである。
３．本装置の排気ファンである。
４．本装置のカメラ挿入口蓋である。
５．本装置を使いレンズ交換作業を行うとき手を挿入するグローブである。
６．同様にグローブである。
７．本装置のカメラ挿入口蓋を開閉するのに必要な蝶番である。
【図１】
2011128581.tif 000003
【図２】
2011128581.tif 000004
【図３】
2011128581.tif 000005
(57)【要約】      （修正有）【課題】四面表示型のバス停留所標識柱の点灯が終バス以後翌朝まで継続している事を利用して、歩道を照明する照明灯兼用のＬＥＤ式バス停留所標識柱を提供する。【解決手段】四面表示箱体部内部の車道側表示面に上部に水平に設置され、前記箱体部の縦と幅寸法に略等しい反射帯材９の捲き付け保持された円筒体１０が端部ギヤ１０ａ，小ギヤ１１ａを介してモーター１１と連結して光反射装置１３を構成し、タイマーによる所定時刻に、前記板状錘付き反射帯材９がその反射面を内側にして前記車道側表示面全面を覆って底材まで下降することで車道側表示面へ放射するＬＥＤの光を該反射帯材９にて反射して歩道側を二倍明るく照明し、所定時間後に前記モーター１１の逆回転により該反射帯材９を前記円筒体１０に巻き付け保持できるように、照明灯兼用ＬＥＤ式バス停留所標識柱を構成する。【選択図】図２
2011128216.tif 000002
【特許請求の範囲】
【請求項１】
四面表示の箱体部内部の車道側表示面上部に水平に設置され、前記箱体部の縦と幅寸法に略等しい反射帯材の捲き付け保持された円筒体がギヤを介してモーターと連結しており、所定時刻に前記棒錘付き反射帯材がその反射面を内側にして前記表示面全面を覆って底材まで下降し、所定時間後に前記モーターにより前記円筒体に捲き付け保持される構成であることを特徴とする照明灯兼用バス停留所標識柱。
【発明の詳細な説明】
【技術分野】
【０００１】
本発明は、照明灯を兼ねる四面表示のＬＥＤ式バス停留所標識柱に関するものである。
【背景技術】
【０００２】
終バス以後、始バスの時刻前まで、バス停留所標識柱の点灯は不用でも、早朝明るくなるまで点灯が継続されている。
【特許文献１】２００９−５７９１７
【発明の概要】
【発明が解決しようとする課題】
【０００３】
この無用の点灯の継続を、有効に利用する方法が考えられる。
四面表示のバス停留所標識柱は、その直方体箱体内部の中央部に高い省エネ性のＬＥＤ式発光体が竪方向に配置され、対向二面は車道と歩道に面することになるので、終バス以後標識柱の車道側表示面への光を歩道側へ反射導光し、歩道照明の機能を増強発現させることにして、照明灯を兼ねるバス停留所標識柱を提供することができる。
【課題を解決するための手段】
【０００４】
本発明は、四面表示の箱体部内部の車道側表示面上部に水平に設置され、その面幅に略等しい、前記箱体部の縦と幅の寸法に略等しい反射帯材の捲き付け保持した円筒体がギヤを介してモーターと連結しており、所定時刻に端辺に棒錘が接合された前記反射帯材がその反射面を内側にして前記表示面全面を覆って下部まで下降し、所定時間後に前記モーターの逆転により前記円筒体に捲き付け保持される構成の照明灯兼用ＬＥＤ式バス停留所標識柱である。
【発明の効果】
【０００５】
四面表示の箱体部内部に光反射装置を備えるＬＥＤ式バス停留所標識柱は、歩道側をより明るく照明することになり、深夜の歩道歩行者に安心感を与えるとともに、高い省エネ性を発揮する。
【発明を実施するための形態】
【０００６】
本発明の照明灯兼用ＬＥＤ式バス停留所標識柱１を図１と図２を参照して説明する。図１に示すこのバス停留所標識柱は四の表示面の竪長の直方体箱体部２と支柱部３からなり、前記箱体部２は四隅枠材４と図示してない四の透光性面材と屋根材６と底材７とで構成し、内部中央部に、導光板の両短辺にＬＥＤを配置した竪長両面放光体８が配置される。
【０００７】
図２に示す箱体部２の車道に面する表示面と屋根材６の稜線付近に平行
に、つまり車道側表示面の内側上部に水平に、その表示面の幅と縦寸法に
略等しい柔軟プラスチック製反射帯材９を捲き付け保持した円筒体１０が、
その両端の中心軸が箱体部２の両側表示面に受け金物を介し回転可能
に設置され、かつ前記円筒体の端部大ギヤ１０aと逆転可能モーター１１の小
ギヤ１１aとが減速歯車として係合して配置され、前記反射帯材の反射面は内
側つまり発光体側である。なお、端辺に棒錘１２が接合された反射帯材とこの反
射帯材の動作に関わる前記諸部材、円筒体１０、端部ギヤ１０a、モーター１１、
小ギヤ１１a、棒錘１２、含めて光反射装置と称する。
【０００８】
以上のように構成された光反射装置１３を備える表示箱体部２は、照度計
により日没以前に点灯され、終バス時刻後にタイマーにより反射帯材９が
前記表示面の下部底材７まで下降し、車道側表示面への前記発光体の放
射する光を反射し歩道側を二倍弱明るく照明することになり、バス停留所標
識柱は照明灯の機能を発現する。始バス時刻以前に前記モーター１１の逆
回転により前記反射帯材９は前記円筒体１０に捲き付け保持され、車道側
表示面はその表示機能を回復する。
また、前記発光体の電源は、日没時刻にほぼ連動して前記照度計により
入り、日の出時刻にほぼ連動して切られる。
なお、本標識柱の電源、制御関係の電気系統システムの説明は省略する。
【０００９】
また、前記竪長発光体８の代わりに、片面放光体、即ち矩形導光板の両短辺
にＬＥＤを配置し片面に反射面材を配置した片面放光体を屋根材６の内部に
放光面を下に納め、前記底材７の上に配置または底材７に上向き鏡を配置した
バス停留所標識柱もよく、および前記光反射装置のないバス停留所標識柱
に同様に適用してもよい。
なお、前記縦長の発光体を上下に分割し、終バス時刻後上部を消灯してもよい。
【００１０】
また、停留所標識柱に更なる公共サービス性の諸機能の付加もよく、携帯電話・
GPSを利用し、タッチパネルと表示スクリーンを設置してバスの走行位置や到着時
間、乗り換え案内、バス経路図、各種広告などの表示可能とし、また蓄光剤
表示板、所要の情報をインプットしたQRコード、外国語表示の案内、時刻、
公共施設案内、日本語と外国語相互また外国語相互を音声と文字で翻訳し、
発声、表示する国際案内装置、電気回路故障の管理者への通報装置、夜間
の発光電源確保のためのソーラーセルと風車発電機と蓄電池等を表示箱体
部の所定部位に設置付加するのもよい。
以上は、ＬＥＤ光源により説明したが、光源は蛍光灯・ＥＬ等を使用してもよい。
【図面の簡単な説明】
【００１１】
【図１】本発明の、バス停留所標識柱の断面概略図である。
【図２】本発明の、反射帯材が円筒体に格納された状態の箱体部上部の断面図である。
【符号の説明】
【００１２】
１バス停留所標識柱、      ２箱体部、  
３支柱部、                ４枠材、
６屋根材、
７底材、                  ８発光体、
９反射帯材、              １０円筒体、
１０a端部大ギヤ、          １１モーター、
１１a小ギヤ、              １２棒錘、
１３光反射装置
【図１】
2011128216.tif 000003
【図２】
2011128216.tif 000004
(57)【要約】      （修正有）【課題】運搬移動で１棟のユニットハウスに居住の広さと経済性と設置及び組み立ての簡易性を高めより良い居住環境を提供する。【解決手段】ユニットハウス（２階床付）本体４、トイレユニット２、キッチンユニット３，２階壁屋根ユニット１からなる拡張型ユニットハウスで、ユニットハウス（２階床付）本体４にトイレユニット２とキッチンユニット３を長辺方向両サイドに組み込みスライドにより拡張して１階の空間の大きさを変え、２階空間をユニットハウス（２階床付）本体４の長辺方向の壁２面を２重構造にした２階壁屋根ユニット１を垂直方向上に巻き上げ機の使用でスライドして、その壁両端上部に接合した両サイド（短辺方向）２面の折りたたみ建具戸が立ち上がり所定の位置で固定出来る拡張型ユニットハウス。【選択図】図８
2011106249.tif 000002
【特許請求の範囲】
【請求項１】
ユニットハウス（２階床付）本体（４）、トイレユニット（２）、キッチンユニット（３）、２階壁屋根ユニット（１）からなる拡張型ユニットハウスで、ユニットハウス（２階床付）本体（４）にトイレユニット（２）とキッチンユニット（３）を長辺方向両サイドに組み込みスライドにより拡張して１階の空間の大きさを変え、２階空間をユニットハウス（２階床付）本体（４）の長辺方向の壁２面を２重構造にした２階壁屋根ユニット（１）を垂直方向上に巻き上げ機（４ｂ）使用でスライドして、その壁両端上部に接合した両サイド（短辺方向）２面の折りたたみ建具戸が立ち上がり所定の位置で固定出来る拡張型ユニットハウス。
【発明の詳細な説明】
【技術分野】
【０００１】本発明は、ユニットハウスの拡張と収縮で、多用途に使用でき、運搬移動する拡張型ユニットハウスである。
【背景技術】
【０００２】従来のユニットハウスには仮設トイレ・仮設洗面、仮設炊事室等は別棟の物が多く仮設事務所・仮設店舗・災害時の避難所・それらをトラック輸送するには何回かの輸送となる。さらに設置や組み立てに職人が必要な場合もあり時間と手間とコストが掛かり水回り関係の設備室は固定式が多く限定スペースとなる物もある。
【先行技術文献】
【特許文献】
【０００３】
【特許文献１】特許公開平６−１２９００９
【非特許文献】
【０００４】
【非特許文献１】
【発明の概要】
【発明が解決しようとする課題】
【０００５】運搬移動で１棟のユニットハウスに各設備と移住の広さと設置組み立ての簡易性を考えるとキャンピングカーやキャンピングトレーラーはあるが経済的負担が大きく移住の広さに制約がある。前述の移動性、空間の広さ、居住性、経済性、設置、組み立ての簡易性、これらのてんを解決しようとするものである。
【課題を解決するための手段】
【０００６】ユニットハウス（２階床付）本体を核とし、その中にトイレユニットとキッチンユニットを両サイドにそれぞれを組み込みスライドで出し入れ出来るようにして空間の広さを確保し核の外側に２階壁屋根ユニットを設けて垂直方向にスライドして２階の空間を確保し、２階床に設けた折りたたみハシゴを伸ばして２階の入り口とし拡張した各ユニットを収縮して元のサイズにもどして運搬移動が出来るようにして拡張と収縮で課題を解決した。
【発明の効果】
【０００７】ユニットハウスを機能別にユニット化して組み込むことによりそれぞれ単独で拡張、収縮が簡単にできるので、その時に必要な使用ができ運搬移動も簡単にでき、拡張することにより、多人数でも収容ができるので使用用途の範囲が広がる。
【図面の簡単な説明】
【０００８】
【図１】拡張型ユニットハウス平常時斜視図
【図２】・平常時平面図
【図３】・ステップデッキ設置斜視図
【図４】・分解図斜視図
【図５】・垂直方向スライド巻き上げ斜視図
【図６】・１階両サイドユニット拡張斜視図
【図７】・１階両サイドユニット拡張平面図
【図８】・２階拡張斜視図
【図９】・２階拡張平面図
【発明を実施するための形態】
【０００９】ユニット本体（２階床付）の土台回りに設置、簡易移動のための車輪を２箇所とステップデッキ（車輪付）、高さ調整機１０箇所巻き上げ機を設けてトイレユニットとキッチンユニットを拡張時その土台にステップデッキ（車輪付）を引き出して使用する。
【００１０】２階壁屋根ユニットの形態はユニット本体（２階床付）の長辺方向に対で４本配列してその柱にガイドレールと滑車上部２個、下部２個を設け２階壁屋根ユニットにそれを受けるキャスター（５個）を取りつけガイドレールに嵌め込み、一番下のキャスターにワイヤーを固定し上部滑車から下部滑を通して土台中央のシャフトに固定してそのシャフトを土台先端で巻き上げ機を使って垂直方向上にスライドする。
【００１１】垂直方向上にスライドで２階壁屋根ユニット長辺方向壁上部にピン接合した両サイド（短辺方向）の折りたたみ建具戸が立ち上がり所定の位置で固定して、その建具戸で２階壁屋根ユニットの落下防止と筋違いを兼ねる。
【実施例】
【００１２】以下、添付図面に従って実施例を説明する。
設置に関してユニット本体（２階床付）［図１］［図２］に組み込まれている車輪５箇所を支点とし水平微調整は高さ調整機８箇所で行い各入口（３箇所）のステップデッキ（車輪付）を引き出し固定する。それに添って［図６］トイレユニットとキッチンユニットを引き出し１階の実施は完了。【００１３】［図４］２階壁屋根ユニットの垂直方向上にスライドするための巻き上げ機を使用して所定の位置まで巻き上げそれと同時に短辺方向の折りたたみ建具戸が立ち上がりそれを固定して後はユニット本体の２階床の折りたたみを伸ばして２階への入口として２階空間の実施は完了。【００１４】上記の実施は２階空間の実施が先行しても良く、それぞれが単体ユニットなので必要な時に使用することができる［図８］拡張型ユニットハウスとなっている。
【産業上の利用可能性】
【００１５】本発明は自然災害時の避難所・仮設事務所・仮設店舗・仮設別荘、簡易住居として使用できる拡張型ユニットハウス。
【符号の説明】
【００１６】１．２階壁屋根ユニット
１ａ．キャスター付支柱
１ｂ．２階折りたたみ建具戸
１ｃ．換気孔
１ｄ．入口ドア
１ｅ．窓
２．トイレユニット
２ａ．入口ドア
２ｂ．汚物用タンク
２ｃ．給水注入口
２ｄ．窓
２ｅ．高さ調整機
３．キッチンユニット
３ａ．入口ドア
３ｂ．汚物用タンク
３ｃ．給水注入口
３ｄ．窓
３ｅ．高さ調整機
４．ユニット本体
４ａ．滑車付支柱
４ｂ．巻き上げ機
４ｃ．車輪
４ｄ．ステップデッキ
４ｅ．入口ドア
４ｆ．２階床
４ｇ．折りたたみハシゴ
４ｈ．窓
４ｉ．高さ調整機
４ｊ．吊り上げフック
【図１】
2011106249.tif 000003
【図２】
2011106249.tif 000004
【図３】
2011106249.tif 000005
【図４】
2011106249.tif 000006
【図５】
2011106249.tif 000007
【図６】
2011106249.tif 000008
【図７】
2011106249.tif 000009
【図８】
2011106249.tif 000010
【図９】
2011106249.tif 000011
(57)【要約】      （修正有）【課題】土嚢内の土圧によって裂ける事、膨張変形による仮設壁の崩壊又は搬送時の重量による引裂け等の不具合を防止する低コストの土嚢生産方法を提供する。【解決手段】土嚢生産用の原反である平布の織物構造に着目し縦糸７と横糸８にそれぞれ異なる機能と性能をもった繊維を採用する手法を取ると同時に、土嚢製造時の原反裁断から縫製を土嚢の利用目的に最も好ましい設計仕様によって生産を行う事で、省力的で革新的な土嚢生産を可能とした。【選択図】図２
2011106248.tif 000002
【特許請求の範囲】
【請求項１】
土嚢を制作する為の素材である織布の縦糸素材と横糸素材を異なる性能繊維によって構成する事を特徴とする土嚢用布
【請求項２】
土嚢の利用時に発生する、土嚢の内側からの土圧による押し出し圧及び運搬や積み重ね荷重による引張強度及びそれぞれの用途に合った土嚢形状を、維持するための形状維持剛性等を得る目的に合はせて土嚢製作用の請求項第１項記載の土嚢用布を以て、それぞれの目的に合はせた土嚢製作用原布の裁断構成を設計し土嚢の生産を行う事を特徴とする土嚢生産方法
【発明の詳細な説明】
【技術分野】
【０００１】  本発明は仮設的に陸上や海上に於いて多用されている土嚢の基本構造機能に関する新らしいアプローチとして土嚢の製造素材を中心に改善を進めるものである。
【背景技術】
【０００２】  本発明は従来の土嚢は縦糸と横糸が共通する原反による製作手法によって生産利用されて居り、土嚢としての利用現場に於いて土嚢内の土圧によって裂ける事又は膨張変形等のトラブルや搬送時の重量による引裂け問題等の不具合があり土嚢を強化する方法があっても製作コストの上で厳しい事等により普及には至らなかった、土嚢を要求する市場は用途が自然界対象である為に土嚢の単位コストには厳しいものがあり前記した様様なトラブルや問題点を省力的に解決される事が望まれて居た。
【発明が解決しようとする課題】
【０００３】  本発明は前記した土嚢利用時に発生する様々な不具合や問題点を省力的に解決する為の手段として土嚢生産用の原反である原反の織物構造に着目し縦糸と横糸にそれぞれに異なる機能と性能をもった繊維を採用して新らしい土嚢用原反を考案した。
【課題を解決する為の手段】
【０００４】  土嚢の利用目的に合はせて前記縦糸と横糸のそれぞれが異なる強度性能を持った素材によって織られた原反を用いて理想的な土嚢製袋用の設計に基づく土嚢製作を行う事によって省力的で堅牢な革新的な土嚢生産を可能なものとした
【０００５】  前記した理想的な土嚢製袋用の設計とは基本となる土嚢製作用布の縦方向引張強度圧縮強度と同じく横方向のそれぞれの強度と共に対温度条件対湿度条件対摩耗条件等を土嚢としての内容充填物の物性を含めた強度表示グラフを作成しこの指標に基づいて土嚢設置時の想定加重も加えたそれぞれの土嚢に求められる理想構造形態を想定する作業によってそれぞれの土嚢形状を算出し土嚢原袋製作を行う
【０００６】  また前記土嚢用原反は縦糸及横糸の太さや密度と共にそれぞれの繊維間隔に於いて原単位繊維の物性も含めた対応度や強度に付いても常に勘案して前記理想設計の条件要項として求める事とする。
【図面の簡単な説明】
【図１】  同質繊維に於いても製糸時の捻糸状態や引きのばし加工によって生産される単繊維には強度や性能上の異いを求める事が出来るので同種同質同量繊維による紡錘紡織加工の一例参考図。
【図２】  本件発明による土嚢用原反の部分的拡大説明図。
【符号の説明】１．同質系材繊維の原反の縦糸の織込前単繊維
２．同質系材繊維の原反の縦糸
３．同質系材繊維の原反の織込繊維
４．同質系材繊維の原反の横糸の織込前単繊維
５．同質系材繊維の端部１の単繊維の捻糸状態説明図縦糸
６．同質系材繊維の端部４の単繊維の説明図横糸
７．本件発明による土嚢用平布の縦糸は横糸８と異素材である
８．本件発明による土嚢用平布の横糸は縦糸と横糸と異なる素材によって織られる
【図１】
2011106248.tif 000003
【図２】
2011106248.tif 000004
【手続補正書】
【提出日】平成22年10月5日(2010.10.5)
【手続補正２】
【補正対象書類名】明細書
【補正対象項目名】全文
【補正方法】変更
【補正の内容】
【発明の詳細な説明】
【技術分野】
【０００１】本発明は仮設的に陸上や海上に於いて多用されている土嚢の基本構造機能に関する新らしいアプローチとして土嚢の製造素材を中心に改善を進めるものである。
【背景技術】
【０００２】本発明は従来の土嚢は縦糸と横糸が共通する原反による製作手法によって生産利用されて居り、土嚢としての利用現場に於いて土嚢内の土圧によって裂ける事又は膨張変形等のトラブルや搬送時の重量による引裂け問題等の不具合があり土嚢を強化する方法があっても製作コストの上で厳しい事等により普及には至らなかった、土嚢を要求する市場は用途が自然界対象である為に土嚢の単位コストには厳しいものがあり前記した様様なトラブルや問題点を省力的に解決される事が望まれて居た。
【発明が解決しようとする課題】
【０００３】本発明は前記した土嚢利用時に発生する様々な不具合や問題点を省力的に解決する為の手段として土嚢生産用の原反である原反の織物構造に着目し縦糸と横糸にそれぞれに異なる機能と性能をもった繊維を採用して新らしい土嚢用原反を考案した。
【課題を解決する為の手段】
【０００４】土嚢の利用目的に合はせて前記縦糸と横糸のそれぞれが異なる強度性能を持った素材によって織られた原反を用いて理想的な土嚢製袋用の設計に基づく土嚢製作を行う事によって省力的で堅牢な革新的な土嚢生産を可能なものとした
【０００５】前記した理想的な土嚢製袋用の設計とは基本となる土嚢製作用布の縦方向引張強度圧縮強度と同じく横方向のそれぞれの強度と共に対温度条件対湿度条件対摩耗条件等を土嚢としての内容充填物の物性を含めた強度表示グラフを作成しこの指標に基づいて土嚢設置時の想定加重も加えたそれぞれの土嚢に求められる理想構造形態を想定する作業によってそれぞれの土嚢形状を算出し土嚢原袋製作を行う
【０００６】また前記土嚢用原反は縦糸及横糸の太さや密度と共にそれぞれの繊維間隔に於いて原単位繊維の物性も含めた対応度や強度に付いても常に勘案して前記理想設計の条件要項として求める事とする。
【図面の簡単な説明】
【０００７】
【図１】  同質繊維に於いても製糸時の捻糸状態や引きのばし加工によって生産される単繊維には強度や性能上の異いを求める事が出来るので同種同質同量繊維による紡錘紡織加工の一例参考図。
【図２】  本件発明による土嚢用原反の部分的拡大説明図。
【符号の説明】
【０００８】１．同質系材繊維の原反の縦糸の織込前単繊維
２．同質系材繊維の原反の縦糸
３．同質系材繊維の原反の織込繊維
４．同質系材繊維の原反の横糸の織込前単繊維
５．同質系材繊維の端部１の単繊維の捻糸状態説明図縦糸
６．同質系材繊維の端部４の単繊維の説明図横糸
７．本件発明による土嚢用平布の縦糸は横糸８と異素材である
８．本件発明による土嚢用平布の横糸は縦糸と横糸と異なる素材によって織られる
(57)【要約】 【課題】積雪した雪の除去を行う際に使用する除雪用具に関して、簡単な軽作業にて行うことが出来る除雪用具を提供する。【解決手段】箱型の本体４の下面に車輪３を装着し、上面にはソリ５を溶接にて装着する。排雪板１は、フレーム２に溶接されており本体４の支点Aにて連結されている。手押し用ハンドル６を上下動させるうことにより、排雪板１の高さ調整が出来る。また、本体４に装着された反転用ハンドルにより車輪３とソリ５が使用できる機能を備えた手押し式除雪機とする。【選択図】    図１
2011106221.tif 000002
【特許請求の範囲】
【請求項１】
本体の下面に車輪を装着し、その上面にソリを装着させ、手押し用ハンドルの操作により移動ができ、本体は反転ハンドルにて車輪部とソリ部が使用できるようになることを特徴とした簡易手押し除雪機。
【請求項２】
本体の前方部分に作業部材が装着できるようになっており作業部材は、手押し用ハンドルの操作により、上下動ができるようになることを特徴とする。
【発明の詳細な説明】
【技術分野】
【０００１】
本発明は、積雪した雪の除去に適用される簡易手押し式除雪機に関する。
【背景技術】
【０００２】
従来、手作業における除雪作業はスコップや通称ママさんダンプ等のすくっての作業で行っていた。
【発明の概要】
【発明が解決しようとする課題】
【０００３】
従来、手作業における除雪作業はスコップや通称ママさんダンプ等のすくっての作業である為、排出時には中にある雪をはねとばすか持ち上げて処理しなければならず肉体的苦痛を伴う作業になる問題を抱えていた。
【０００４】
本発明では、前期の状況を考慮し簡単に操作ができ、小型で軽量な構造とした簡易手押し式除雪機を提供することを目的としている。
【課題を解決するための手段】
【０００５】
本発明の簡易手押し式除雪機は、本体の前方部に排雪板構機構を装着し、フレームにより連結させ、本体後方部にあるハンドルにより上下動が出来るようになっている。又、本体を中央部の支点を中心に反転させることにより、車輪にて移動できるようになることを特徴とするものである。
【発明の効果】
【０００６】
本発明は、以上に説明したように本体前方部の排雪板、本体と排雪板を連結させるフレーム、本体、本体に取り付いている車輪、手押し用ハンドルを備えているので、以下に記載するような効果がある。
【０００７】
除雪の時、ソリの面を下にしたあと、本体後方部にある手押し用ハンドルにて排雪板の高さの調整が容易に行える。
【０００８】
排雪板の高さの調整後、手押し用ハンドルにて本体前方へ押すことにより、本体の下になっているソリの面が、雪と接触し滑らかに押すことが出来る。
【０００９】
使用後は、本体についている反転用ハンドルにて本体を反転させ車輪を地面に接地させることにより、容易に移動が可能となり収納がしやすい。
【００１０】
収納時に、手押しハンドル部分が脱着可能となっているため、コンパクトに収納が出来る。
【００１１】
上記のように、本発明の簡易手押し式除雪機を使用することにより、排雪板を手押しハンドルにより高さ調整を一体として又ソリを備えたことにより比較的少ない労力で除雪作業を行うことが出来る。
【００１２】
この結果、除雪時における除雪作業において従来のように雪を載せて運ぶことによる肉体的な苦痛の軽減が可能となる。
【図面の簡単な説明】
【００１３】
【図１】本発明の簡易手押し式除雪機を示す図である。
【図２】本発明の簡易手押し式除雪機の移動時の図である。
【図３】本発明の簡易手押し式除雪機の作業時の図である。
【発明を実施するための形態】
【００１４】
発明の実施の形態を図１乃至図３により詳細に説明する。本発明の簡易手押し式除雪機は、図１に示す例では、本体４の下面に車輪３を装着し、本体上面には作業時に使用するソリ５、前方部に排雪板１をフレーム２で支点Aにて本体４と連結されており、排雪板１が上下動を行える手押し用ハンドル５と、本体４が反転を行える本体４に溶接により組立てたハンドル７から構成されたものである。
【００１５】
前記の本体４は、箱型の構造物として上面にソリ５を溶接により組立て支点Aを装着し下面に車輪３をボトルにて装着したもの本体４とする。
【００１６】
前記の排雪板１は、フレーム２を溶接により組立て、支点Aにて回転できるようにしたものを作業機とする。
【００１７】
前記の作業機は、本体４と支点Aにて連結させ、手押し用ハンドル６により、上下動が出来るように繋ぐ。
【００１８】
以上の各機構を組み立てることにより手押し用ハンドル６の操作により、作業機を上下させることになり、除雪時の除雪高さを調整できる。さらに、本体Aをハンドル７により反転することにより、車輪を利用して移動を容易にする。
【実施例】
【００１９】
以下、除雪の手順を説明する。
図２は、移動時の図である。
車輪部分を下にして、本体のB部に作業機側のフレームが乗ることにより、作業機を手で支える必要がない為、容易に移動が出来る。
図３は、除雪時の図である。
ソリの部分を下にして、手押し用ハンドルにて排雪板の高さを調整しながら前進することにより、雪をすくうことなく除雪が出来る為作業負荷が軽減される。
【符号の説明】
【００２０】
１  排雪板
２  フレーム
３  車輪
４  本体
５  ソリ
６  手押し用ハンドル
７  反転用ハンドル
A  連結部
【図１】
2011106221.tif 000003
【図２】
2011106221.tif 000004
【図３】
2011106221.tif 000005
(57)【要約】【課題】  ポンプが混入空気を吸引することのない廃蒸気回収装置を提供する。【解決手段】  廃蒸気通路１に熱交換器２を接続する。熱交換器２の上部に空気排出弁３を取り付ける。熱交換器２の下方に電動ポンプ１３を接続する。電動ポンプ１３の吐出口側に調節弁１５を介在して液体エゼクタ５と接続する。液体エゼクタ５の吸込室１０を、管路９によって空気排出弁３の出口側と接続する。  廃蒸気通路１から熱交換器２内へ供給された空気の混入した廃蒸気は、冷却コイル４で廃蒸気だけが凝縮して液体となり、一方、空気は凝縮することなく空気排出弁３から系外へ排出される。【選択図】図１
2011106707.tif 000002
【特許請求の範囲】
【請求項１】
蒸気装置から流下してくる廃蒸気を熱交換器で冷却して蒸気を凝縮させるものにおいて、熱交換器の上部に空気排出弁を取り付けると共に、熱交換器の下部に電動ポンプと液体エゼクタを順次に接続して、当該液体エゼクタの吸込室を空気排出弁の出口側と接続したことを特徴とする廃蒸気回収装置。
【発明の詳細な説明】
【技術分野】
【０００１】
本発明は、例えばシュリンクトンネルやスチーマーやゴムの加硫器等の各種蒸気使用装置から廃棄される廃蒸気を、熱交換して回収することにより、工場建屋の内部あるいは外部でモヤモヤと立ち込める廃蒸気を無くすことのできる廃蒸気回収装置に関する。
【背景技術】
【０００２】
廃蒸気回収装置は、蒸気使用装置としてのシュリンクトンネルと、エゼクターと液体タンクと循環ポンプで構成された真空吸引手段とを、廃蒸気回収パイプで接続したもので、シュリンクトンネルからの廃蒸気を真空吸引手段で吸引することによって、モヤモヤと立ち込める廃蒸気を無くすことができるものである。
【０００３】
この廃蒸気回収装置においては、廃蒸気に混入した空気を循環ポンプが吸引してしまうことによって、ポンプ能力が低下してしまう問題があった。
【先行技術文献】
【特許文献】
【０００４】
【特許文献１】特開２００２−５５８２号公報
【発明の概要】
【発明が解決しようとする課題】
【０００５】
解決しようとする課題は、循環ポンプが混入空気を吸引することのない廃蒸気回収装置を提供すること。
【課題を解決するための手段】
【０００６】
本発明は、蒸気装置から流下してくる廃蒸気を熱交換器で冷却して蒸気を凝縮させるものにおいて、熱交換器の上部に空気排出弁を取り付けると共に、熱交換器の下部に電動ポンプと液体エゼクタを順次に接続して、当該液体エゼクタの吸込室を空気排出弁の出口側と接続したものである。
【発明の効果】
【０００７】
本発明の廃蒸気回収装置は、熱交換器から空気排出弁で混入空気を系外へ排出した後の温水を電動ポンプが吸引することで、ポンプが混入空気を吸引することがないために、ポンプ能力が低下することを防止することができる。
【図面の簡単な説明】
【０００８】
【図１】本発明の廃蒸気回収装置の実施例を示す構成図。
【発明を実施するための形態】
【０００９】
図１に示すように、廃蒸気通路１と、この廃蒸気通路１に接続した熱交換器２と、熱交換器２の上部に取り付けた空気排出弁３、及び、熱交換器２の下部に接続した電動ポンプ１３と液体エゼクタ５とで廃蒸気回収装置を構成する。
【００１０】
廃蒸気通路１の左端部を図示しない蒸気装置と接続し、右端部を熱交換器２の左側面上部と接続することで、蒸気装置で発生した空気の混入した廃蒸気が熱交換器２内へ供給されるものである。熱交換器２内には、冷却コイル４を配置すると共に、冷却コイル４の下端を冷却水供給管６と接続し、上端を冷却水排出管７と接続する。
【００１１】
熱交換器２の上面に管路８を接続して空気排出弁３を取り付ける。空気排出弁３は、弁内部の温度が所定値、例えば４０℃以下になると自動的に開弁するもので、空気排出弁３の出口側は管路９により液体エゼクタ５の吸込室１０と接続する。
【００１２】
熱交換器２の下端面に管路１１を接続して、電動ポンプ１３を接続する。電動ポンプ１３の吐出口側に、弁開度を調節することのできる調節弁１５と管路６を介在して液体エゼクタ５と接続する。
【００１３】
廃蒸気通路１から熱交換器２内へ供給された空気の混入した廃蒸気は、冷却コイル４で冷却されることで、廃蒸気だけが凝縮して温水となり、一方、混入している空気は凝縮することなく、空気排出弁３を通って液体エゼクタ５の吸込室１０へと吸引される。
【００１４】
上記のように本発明は、電動ポンプが混入空気を吸引することがないために、ポンプ能力が低下することを防止することができる。
【産業上の利用可能性】
【００１５】
本発明は、蒸気を使用するあらゆる蒸気使用装置に利用することができる。
【符号の説明】
【００１６】
１  廃蒸気通路
２  熱交換器
３  空気排出弁
４  冷却コイル
５  液体エゼクタ
１０  吸込室
１３  電動ポンプ
１５  調節弁
【図１】
2011106707.tif 000003
(57)【要約】【課題】混入空気の崩壊に伴う振動や騒音を発生することのない廃蒸気回収装置を提供する。【解決手段】  廃蒸気通路１に廃蒸気タンク２と再蒸発タンク１１を接続する。廃蒸気タンク２上面に空気排出管４を接続する。廃蒸気タンク２の下方には温水取出し管１０を介して再蒸発タンク１１を接続する。再蒸発タンク１１の下方には温水循環ポンプ１３を介して廃蒸気タンク２の下面と接続する。  廃蒸気通路１から廃蒸気タンク２内へ供給された空気の混入した廃蒸気は、温水３内で廃蒸気だけが凝縮して温水となり、一方、空気は凝縮することなく空気排出管４から系外へ排出される。【選択図】図１
2011106704.tif 000002
【特許請求の範囲】
【請求項１】
蒸気装置から流下してくる廃蒸気を所定箇所へ排出するものにおいて、廃蒸気の流下する廃蒸気通路に廃蒸気タンクと再蒸発タンクを順次に接続すると共に、当該廃蒸気タンクの内部に、廃蒸気の飽和温度よりも少しだけ温度の低い温水を溜め置き、当該温水内へ廃蒸気を供給し、当該廃蒸気タンクの上部に空気排出管を接続したことを特徴とする廃蒸気回収装置。
【発明の詳細な説明】
【技術分野】
【０００１】
本発明は、例えばシュリンクトンネルやスチーマーやゴムの加硫器等の各種蒸気使用装置から廃棄される廃蒸気を、熱交換して回収することにより、工場建屋の内部あるいは外部でモヤモヤと立ち込める廃蒸気を無くすことのできる廃蒸気回収装置に関する。
【背景技術】
【０００２】
廃蒸気回収装置は、蒸気使用装置としてのシュリンクトンネルと、エゼクターと液体タンクと循環ポンプで構成された真空吸引手段とを、廃蒸気回収パイプで接続したもので、シュリンクトンネルからの廃蒸気を真空吸引手段で吸引することによって、モヤモヤと立ち込める廃蒸気を無くすことができるものである。
【０００３】
この廃蒸気回収装置においては、廃蒸気に混入した空気によって、真空吸引手段を構成するエゼクターにおいて、混入空気が崩壊する時に発生する振動や騒音で装置に損傷を来たす問題があった。また、同じく混入空気を循環ポンプが吸引することによってポンプ能力が低下してしまう問題があった。
【先行技術文献】
【特許文献】
【０００４】
【特許文献１】特開２００２−５５８２号公報
【発明の概要】
【発明が解決しようとする課題】
【０００５】
解決しようとする課題は、混入空気の崩壊に伴う振動や騒音を発生することのない廃蒸気回収装置を提供すること。
【課題を解決するための手段】
【０００６】
本発明は、蒸気装置から流下してくる廃蒸気を所定箇所へ排出するものにおいて、廃蒸気の流下する廃蒸気通路に廃蒸気タンクと再蒸発タンクを順次に接続すると共に、当該廃蒸気タンクの内部に、廃蒸気の飽和温度よりも少しだけ温度の低い温水を溜め置き、当該温水内へ廃蒸気を供給し、当該廃蒸気タンクの上部に空気排出管を接続したものである。
【発明の効果】
【０００７】
本発明の廃蒸気回収装置は、エゼクターを使用しないために、エゼクター内で混入空気が崩壊する時に発生する振動や騒音を防止することができる。
【図面の簡単な説明】
【０００８】
【図１】本発明の廃蒸気回収装置の実施例を示す構成図。
【発明を実施するための形態】
【０００９】
図１に示すように、廃蒸気通路１と、この廃蒸気通路１に接続した廃蒸気タンク２と再蒸発タンク１１、及び、廃蒸気タンク２の上部に接続した空気排出管４とで廃蒸気回収装置を構成する。
【００１０】
廃蒸気通路１の下端部を図示しない蒸気装置と接続し、上端部を廃蒸気タンク２の左側面下部と接続することで、蒸気装置で発生した廃蒸気が廃蒸気タンク２内へ供給されるものである。廃蒸気タンク２内には、所定量の温水３を溜め置く。この温水３は、廃蒸気通路１から供給される廃蒸気の飽和温度よりも少しだけ低い温度、例えば飽和温度よりも２〜５℃程度低い温度に維持する。
【００１１】
廃蒸気タンク２の側面に、冷却水を補給する冷却水補給管５を接続すると共に、温水３の温度を検出する温度センサー６を取り付ける。廃蒸気タンク２の上面に、加圧気体供給管７と廃蒸気タンク２内の圧力を検出する圧力センサー８を取り付ける。また、廃蒸気タンク２の右側面に、廃蒸気タンク２内の温水３の液位を検出する液位センサー９を取り付ける。加圧気体供給管７から、温水３の温度に応じた加圧気体、具体的には圧縮空気等、を供給するものである。
【００１２】
廃蒸気タンク２の下面に温水取出し管１０を接続して、再蒸発タンク１１と接続する。温水取出し管１０から再蒸発タンク１１へ供給された温水３が、再蒸発タンク１１内で再蒸発して低圧の蒸気となり、低圧蒸気供給管１２から、図示しない低圧蒸気の利用箇所へ供給されるものである。
【００１３】
再蒸発タンク１１の下面に、再蒸発タンク１１内で再蒸発することなく残存した温水を、廃蒸気タンク２へ供給する温水循環ポンプ１３を接続する。温水循環ポンプ１３の吐出口側を管路１４で廃蒸気タンク２の下面と接続する。
【００１４】
廃蒸気通路１から廃蒸気タンク２内へ供給された空気の混入した廃蒸気は、温水３内で廃蒸気だけが凝縮して温水となり、一方、混入した空気は凝縮することなく、空気排出管４から系外へ排出される。
【００１５】
上記のように本発明は、廃蒸気通路１に廃蒸気タンク２を配置したことにより、モヤモヤと立ち昇る廃蒸気を無くすことができる。
【産業上の利用可能性】
【００１６】
本発明は、蒸気を使用するあらゆる蒸気使用装置に利用することができる。
【符号の説明】
【００１７】
１  廃蒸気通路
２  廃蒸気タンク
３  温水
４  空気排出管
５  冷却水補給管
１０  温水取出し管
１１  再蒸発タンク
１２  低圧蒸気供給管
１３  温水循環ポンプ
【図１】
2011106704.tif 000003
(57)【要約】      （修正有）【課題】乾燥なまこはきんことして現在流通しているが、加熱後の乾燥であるため調理時の水戻し時間が長く、素材の色合いや風味の欠損が大きい。従来の除湿乾燥機では、生なまこを乾燥させる場合に乾燥ムラが起こりやすく、乾燥速度が遅いため、素材の変質や腐敗が起こることがあった。【解決手段】なまこを生の状態から一定の温度範囲で板状に乾燥させる。また、なまこを生で乾燥する場合、腐敗を防ぐため殺菌水による乾燥前洗浄と、急速に乾燥出来る乾燥機を用いる。【選択図】図４
2011106709.tif 000002
【特許請求の範囲】
【請求項１】
除湿機本体の発熱部分を乾燥庫内に入れ、冷却機の温度設定と合わせて乾燥庫内温度を一定幅で上下させる乾燥庫に、乾燥物に高静圧の風を当てるファンを有する常温除湿乾燥機。
【請求項２】
生のなまこを乾燥機を用いて板状に乾燥させた、乾燥なまこ。
【発明の詳細な説明】
【技術分野】
【０００１】
本発明は0℃〜50℃の常温帯での生なまこの乾燥方法に関する。
【背景技術】
【０００２】
現在流通している乾燥なまこは、生のまま冷凍すると溶けてしまい冷凍保存は出来ない為、ボイルし温風乾燥機等を用いて乾燥させて保存している。
【発明の概要】
【発明が解決しようとする課題】
【０００３】
乾燥なまこはきんことして現在流通しているが、加熱後の乾燥であるため調理時の水戻し時間が長く、素材の色合いや風味の欠損が大きい。
【０００４】
従来の除湿乾燥機では、生なまこを乾燥させる場合に乾燥ムラが起こりやすく、乾燥速度が遅いため、素材の変質や腐敗が起こることがあった。
【０００５】
なまこは冷凍すると溶けてしまうため、禁漁期間の間は生の状態で安定供給ができなかった。
【課題を解決するための手段】
【０００６】
本発明は、上記の課題を解決するため、なまこを生の状態から一定の温度範囲で板状に乾燥させる。
【０００７】
また、なまこを生で乾燥する場合、腐敗を防ぐため殺菌水による乾燥前洗浄と、急速に乾燥出来る乾燥機を用いる。
【発明の効果】
【０００８】
乾燥後形状が板状になるため、給水面積が増え、調理時の水戻し時間の短縮ができる。
【０００９】
生乾燥することで禁漁期間を問わず、安定的に良質のなまこを供給することが出来るようになる。
【図面の簡単な説明】
【００１０】
【図１】殺菌水洗浄後の生なまこ
【図２】板状に乾燥させたなまこ
【図３】従来の乾燥なまこ
【図４】常温除湿乾燥機
【図５】乾燥棚トレイ配列図
【発明を実施するための形態】
【００１１】
生状態のなまこから内臓部分を取り除き、殺菌水で洗浄する。トレイに1匹ずつ並べたなまこを乾燥機内の乾燥棚に置き、0℃〜50℃の間で常温除湿乾燥させる。
【実施例】
【００１２】
本発明の乾燥ナマコと従来の乾燥ナマコを戻したときの形態、時間と重量の変化を比較する。
従来の乾燥ナマコは通常の戻し方法で処理し、約２４時間で形態はそのままで、重量も13.3％の戻りであった。
本発明品の形態は約２４時間で重量も71.3％まで戻っていた。
【符号の説明】
【００１３】
１．除湿機
２．冷却機
３．送風機
４．トレイ
５．なまこ
【図１】
2011106709.tif 000003
【図２】
2011106709.tif 000004
【図３】
2011106709.tif 000005
【図４】
2011106709.tif 000006
【図５】
2011106709.tif 000007
(57)【要約】【課題】  簡単な構造で熱交換効率を向上させる給湯器の熱交換器を提供する。【解決手段】  給湯器の熱交換器で高温の燃焼ガスの持つ熱量と熱交換して高温水を得るものに関して、平板１０を交互に切り起こした複数の仕切り板１１を有して熱交換パイプ７内に挿入されるバッフルプレート９において、交互に形成する仕切り板１１の間隔を熱交換パイプ７の上流側よりも下流側の方が密になるように構成することで、燃焼ガスが熱量を奪われ熱交換パイプ７の下流側で収縮しても、燃焼ガスの流路が狭まることで流速を落とさず維持でき、熱交換効率を向上させることが可能となる。【選択図】  図１
2011106782.tif 000002
【特許請求の範囲】
【請求項１】
平板を交互に切り起こして複数の仕切り板を形成したバッフルプレートを、熱交換パイプ内に設けた給湯器の熱交換器構造に於いて、前記バッフルプレートの仕切り板は上流側に比べて下流側の間隔が密であることを特徴とする給湯器の熱交換器構造。
【請求項２】
前記バッフルプレートの仕切り板は、前記熱交換パイプの下流側に向けて徐々に間隔を狭めたことを特徴とする前記請求項１記載の給湯器の熱交換器構造。
【発明の詳細な説明】
【技術分野】
【０００１】
この発明は、給湯器及び温水ボイラの熱交換器の構造に関するものである。
【背景技術】
【０００２】
従来、この種のものにおいては、給湯器や温水ボイラにおいて燃焼室で加熱された高温の燃焼ガスと熱交換を行い高温水を得る熱交換器の構造として、燃焼ガスの持つ熱量を効率よく熱交換させるために、熱交換パイプ内に平板を交互に切り起こした複数の仕切り板を有したバッフルプレートを挿入していた。
【０００３】
このバッフルプレートは、仕切り板の外周に所定形状の切り欠き部を連続的に形成して熱交換パイプの内周面に点接触させて、各切り欠き部を通過する燃焼ガスの流量を一定にすることで熱交換効率を向上させていた。
【先行技術文献】
【特許文献】
【０００４】
【特許文献１】特開２００４−２７８９５７号公報
【発明の概要】
【発明が解決しようとする課題】
【０００５】
しかし、この従来のものでは、熱交換パイプ内を燃焼ガスが進むと熱交換によって徐々に熱量が奪われ、温度が下がることで燃焼ガスが収縮して流速が落ちてしまい、熱交換パイプの下流側内壁の伝熱性が悪化して熱交換効率が落ちていた。
【課題を解決するための手段】
【０００６】
上記課題を解決するために、本発明の請求項１では、平板を交互に切り起こした複数の仕切り板を有して熱交換パイプ内に挿入される給湯器の熱交換器構造に於いて、前記仕切り板は上流側に比べて下流側の間隔が密であるものである。
【０００７】
また、請求項２では、前記バッフルプレートの仕切り板は前記熱交換パイプの下流側に向けて徐々に間隔を狭めたものである。
【発明の効果】
【０００８】
この発明の請求項１によれば、熱交換パイプの上流側に比べて下流側の仕切り板の間隔が密であることから、温度が下がって収縮した燃焼ガスでも仕切り板の間隔を狭めて燃焼ガスの流路の断面積を小さくすることで流速が低下せず、熱交換パイプの下流側内壁の伝熱性が向上するので、熱交換効率の低下を防止できるものである。
【０００９】
また、請求項２によれば、仕切り板の間隔を熱交換パイプの下流側に向けて徐々に狭めることで、燃焼ガスの温度が低下しても燃焼ガスの流速が一定になるように流路の断面積が設けられ、それにより更に熱交換効率の低下を防止できるものである。
【図面の簡単な説明】
【００１０】
【図１】この発明の一実施例における給湯器の概略構成図。
【図２】この発明の一実施例におけるバッフルプレートの斜視図
【図３】この発明の一実施例におけるバッフルプレートの要部拡大図
【発明を実施するための形態】
【００１１】
次に、本発明に係る発明の一実施例を図１に基づいて説明する。
１は給湯器の缶体で、内缶２と外缶３との間に貯湯室４を形成し、内缶２下部にはガンタイプバーナー５が臨む燃焼室６を備えている。７は燃焼室６と内缶２上部にある排気室８とを結ぶ複数本の熱交換パイプで、各熱交換パイプ７内には燃焼ガスの流れを蛇行させて熱交換効率を向上させるバッフルプレート９が内蔵されている。
【００１２】
次に、バッフルプレート９の詳細な構造を図２に基づいて説明する。
前記バッフルプレート９は、熱交換パイプ７の内径より稍小さい幅の平板１０と、該平板１０に半円弧状の切り欠きを入れ、これを交互に対向するように折り曲げて形成した熱交換パイプ７の半径より稍小さい仕切り板１１とで構成されている。
【００１３】
次に、バッフルプレート９に形成される仕切り板１１に関して図３の要部拡大図に基づいて説明する。
交互に対向するように形成された二つの仕切り板１１の間隔をｄとし、熱交換パイプ７の下流側に向けて形成される間隔をそれぞれ上流側からｄ１、ｄ２、ｄ３、ｄ４、ｄ５・・・ｄｎ（ｎは整数）で表すと、仕切り板１１の間隔ｄについてｄ１＞ｄ２、ｄ２＞ｄ３、ｄ３＞ｄ４、ｄ４＞ｄ５・・・すなわち、ｄｎ＞ｄｎ＋１を満たす位置に仕切り板１１を平板１０に形成する。
【００１４】
また、仕切り板１１の間隔ｄは下流側が上流側に比べて密になっていればよく、例えば、熱交換パイプ７の任意の箇所からｄｎ＞ｄｎ＋１を満たすように形成するものや、仕切り板の所定の区間の間隔をｄｎ＝ｄｎ＋１とし区間外の下流側に到達した時点からｄｎ＞ｄｎ＋１を満たすように構成するものであってもよい。
【００１５】
燃焼ガスの流量は断面積と流速の積で求められるので、熱交換パイプ７の下流側で燃焼ガスが収縮して流量が減少しても、仕切り板１１の間隔を狭めて燃焼ガスが通過する断面積を狭めることで流速を一定に維持できる。
【００１６】
そして、仕切り板１１の間隔を下流側が上流側に比べて密になるようにすることで、熱交換パイプ７内の上流側から下流側にかけて燃焼ガスの熱量が奪われ温度が低下したとしても、燃焼ガスの流速が維持されるので、熱交換パイプ７の下流側において熱交換を行う内壁１２の伝熱性が向上し、下流側における熱交換パイプ７での熱交換効率の低下を防止できる。
【００１７】
また、仕切り板１１の間隔を下流側に向けて徐々に狭めることで、燃焼ガスの温度が低下しても燃焼ガスの流速が一定になるように流路の断面積が設けられ、それにより更に熱交換効率の低下を防止できる。
【符号の説明】
【００１８】
７    熱交換パイプ
９    バッフルプレート
１０    平板
１１    仕切り板
【図１】
2011106782.tif 000003
【図２】
2011106782.tif 000004
【図３】
2011106782.tif 000005